(57)【要約】      （修正有）【課題】円偏波を受信でき、かつ自動受信の成功確率も向上できる電子時計を提供する。【解決手段】電子時計は、円偏波を受信する平面アンテナ４０と、平面アンテナ４０を作動させる制御部とを有する電子時計であって、平面アンテナ４０は、縮退分離素子を有するアンテナ電極と、給電部４４とを備え、給電部４４は、平面アンテナ４０の中心に対して、第１角度範囲または第２角度範囲に配置され、平面アンテナ４０の中心に対する方向を、時計の文字板の中心に対する目盛の方向に対応させた場合に、第１角度範囲は、１．５時方向から４．５時方向までの角度範囲であり、第２角度範囲は、７．５時方向から１０．５時方向までの角度範囲である。【選択図】図６
2018169383.tif 000002
【特許請求の範囲】
【請求項１】
ケースと、
前記ケース内に配置されて円偏波を受信する平面アンテナと、
前記平面アンテナを作動させる制御部とを有する電子時計であって、
前記平面アンテナは、縮退分離素子を有するアンテナ電極と、給電部とを備え、
前記給電部は、前記平面アンテナの中心に対して、第１角度範囲内または第２角度範囲内に配置され、
前記平面アンテナの中心に対する方向を、時計の文字板の中心に対する目盛の方向に対応させた場合に、前記第１角度範囲は、１．５時方向から４．５時方向までの角度範囲であり、前記第２角度範囲は、７．５時方向から１０．５時方向までの角度範囲である
ことを特徴とする電子時計。
【請求項２】
請求項１に記載の電子時計において、
前記給電部は、前記平面アンテナの中心に対して、３時方向または９時方向に配置されている
ことを特徴とする電子時計。
【請求項３】
請求項１または請求項２に記載の電子時計において、
前記平面アンテナは、平面アンテナの中心位置が、前記ケースの平面中心に対して１１時方向から１時方向までの角度範囲内、または、５時方向から７時方向までの角度範囲内に配置されている
ことを特徴とする電子時計。
【請求項４】
請求項１から請求項３のいずれか一項に記載の電子時計において、
前記平面アンテナは、誘電体基材と、前記誘電体基材の表面に設けられた前記アンテナ電極と、前記誘電体基材の裏面に設けられたグランド電極と、前記裏面に設けられた給電電極とを備え、
前記給電部は、前記給電電極である
ことを特徴とする電子時計。
【請求項５】
請求項１から請求項３のいずれか一項に記載の電子時計において、
前記平面アンテナは、誘電体基材と、前記誘電体基材の表面に設けられた前記アンテナ電極と、前記誘電体基材の裏面に設けられたグランド電極と、前記裏面に設けられた給電電極と、前記給電電極に導通されて前記誘電体基材の側面に設けられた側面電極とを備え、
前記給電部は、前記給電電極および前記側面電極を備えて構成される
ことを特徴とする電子時計。
【請求項６】
請求項１から請求項５のいずれか一項に記載の電子時計において、
前記ケース内に配置される電池を有し、
平面視において、前記ケース内を、前記ケースの中心と前記平面アンテナの中心とを通る直線に直交し且つ前記ケースの中心を通る直線で仮想的に２つの領域に分けたとき、
前記電池は、前記平面アンテナが配置される領域とは異なる領域に配置される
ことを特徴とする電子時計。
【請求項７】
請求項１から請求項６のいずれか一項に記載の電子時計において、
前記ケースの厚さ方向において、前記平面アンテナよりも時計表面側に配置され、平面視において、前記平面アンテナと重ならない金属部品を備え、
前記金属部品と前記アンテナ電極との最短距離は、前記平面アンテナの厚さ寸法の８０％以上である
ことを特徴とする電子時計。
【請求項８】
請求項１から請求項７のいずれか一項に記載の電子時計において、
水晶振動子、モーター、耐磁板の少なくともいずれかを有し、
平面視において、前記ケース内を、前記ケースの中心と前記平面アンテナの中心とを通る第１直線と、前記第１直線に直交し且つ前記ケースの中心を通る第２直線とで仮想的に４つの領域に分けたとき、
前記水晶振動子、前記モーター、前記耐磁板の少なくともいずれかは、前記給電部が配置される領域とは異なる領域に配置される
ことを特徴とする電子時計。
【請求項９】
請求項１から請求項８のいずれか一項に記載の電子時計において、
前記平面アンテナは、パッチアンテナである
ことを特徴とする電子時計。
【請求項１０】
請求項１から請求項９のいずれか一項に記載の電子時計において、
前記平面アンテナおよび前記平面アンテナ用の受信ＩＣが実装された回路基板を備え、
前記平面アンテナの前記給電部と、前記受信ＩＣとを接続する配線は、前記回路基板に直線状に配線されている
ことを特徴とする電子時計。
【請求項１１】
ケースと、
前記ケース内に配置される文字板と、
前記ケース内であって前記文字板の裏面側に配置され、円偏波を受信する平面アンテナと、
前記平面アンテナを作動させる制御部と、
前記ケースの１２時側および６時側にそれぞれ接続される第１バンドおよび第２バンドと、
を有する電子時計であって、
前記平面アンテナは、縮退分離素子を有するアンテナ電極と、給電部とを備え、
前記給電部は、前記平面アンテナの中心に対して、第１角度範囲内または第２角度範囲内に配置され、
前記平面アンテナの前記文字板側の面を含む平面において、前記平面アンテナの中心を原点とし、前記第１バンドおよび前記第２バンドの長手方向に平行であり、前記原点から前記第１バンドに向かう直線を基準線とした場合に、前記第１角度範囲は、前記原点を回転中心として前記基準線から時計回りに４５度から１３５度までの範囲であり、前記第２角度範囲は、前記原点を回転中心として前記基準線から反時計回りに４５度から１３５度までの範囲である
ことを特徴とする電子時計。
【発明の詳細な説明】
【技術分野】
【０００１】
本発明は電子時計に関し、特に平面アンテナを備える電子時計に関する。
【背景技術】
【０００２】
ＧＰＳ（Global Positioning System）等の位置情報衛星から送信される電波を受信する平面アンテナを有する電子時計が知られている（特許文献１）。
この電子時計では、受信特性として、直線偏波を得られるように電極形状を設計したパッチアンテナを用いている（特許文献１の段落００３７−００３８参照）。特許文献１には、金属製の胴や電池等の金属部品による干渉を避けるため、給電部の位置を金属部材に近い辺に配置し、この辺に直交する辺の受信感度を上げることで、全体としてパッチアンテナの受信感度を向上させることが記載されている。
【先行技術文献】
【特許文献】
【０００３】
【特許文献１】特開２０１５−１７５７３８号公報
【発明の概要】
【発明が解決しようとする課題】
【０００４】
しかしながら、ＧＰＳ衛星信号は円偏波で送信されるため、平面アンテナも円偏波を直接受信できるものが好ましい。このため、円偏波を受信できる平面アンテナにおいて、受信感度を向上できるものが求められている。
また、平面アンテナを備える電子時計は、平面アンテナの指向性を考慮し、電子時計の表面（カバーガラス側）を天頂方向に向けて、ユーザーがボタン操作などで衛星信号の受信動作を指示する手動受信を行うものが一般的である。この場合、ユーザーが手動受信を長期間実行しないと、衛星信号によって内部時刻を修正する処理も行われないため、時刻表示精度が低下する。
このため、平面アンテナを備える電子時計において、ユーザーがボタン操作などを行わずに自動的に衛星信号の受信処理が行われることが求められている。
しかしながら、自動受信処理時には、電子時計は必ずしも表面が天頂方向に向いているとは限らないため、受信感度が低下し、自動受信の成功確率も低下するという新たな課題がある。
【０００５】
本発明の目的は、円偏波を受信でき、かつ自動受信の成功確率も向上できる電子時計を提供することにある。
【課題を解決するための手段】
【０００６】
本発明は、ケースと、前記ケース内に配置されて円偏波を受信する平面アンテナと、前記平面アンテナを作動させる制御部とを有する電子時計であって、前記平面アンテナは、縮退分離素子を有するアンテナ電極と、給電部とを備え、前記給電部は、前記平面アンテナの中心に対して、第１角度範囲内または第２角度範囲内に配置され、前記平面アンテナの中心に対する方向を、時計の文字板の中心に対する目盛の方向に対応させた場合に、前記第１角度範囲は、１．５時方向から４．５時方向までの角度範囲であり、前記第２角度範囲は、７．５時方向から１０．５時方向までの角度範囲であることを特徴とする。
【０００７】
本発明によれば、平面アンテナは、縮退分離素子を有するアンテナ電極を備える。これにより、ＧＰＳ衛星信号のような円偏波を受信でき、衛星信号の受信感度も向上できる。
また、給電部を平面アンテナの中心に対して、第１角度範囲（１．５時方向から４．５時方向までの９０度の角度範囲）、または、第２角度範囲（７．５時方向から１０．５時方向までの９０度の角度範囲）に配置したので、電子時計の側面方向の指向性を、文字板の３時および９時の目盛を結ぶ３時−９時方向を中心とした９０度の角度範囲内で設定することができる。
本発明者は、円偏波を受信する平面アンテナでは、電子時計の側面方向の指向性は、給電部の配置位置によって変化し、平面アンテナの中心と給電部の配置位置とを結ぶ方向の感度が高まることを新たに見出し、この特性を利用して自動受信の成功確率を向上できる電子時計を設計したものである。
すなわち、電子時計は、ユーザーの手首に装着した際に、手首から肘に向かう方向が電子時計の３時−９時方向に一致する。ユーザーが屋外を歩行している場合は、通常、腕は肩から下方に位置しており、電子時計の３時−９時方向は天頂方向に向くことになる。これにより、平面アンテナにおいて、電子時計の３時−９時方向を中心として９０度の角度範囲内で指向性が得られれば、天頂方向に位置する衛星からの信号を受信し易くなり、衛星信号の受信感度を向上できる。したがって、ユーザーが屋外を歩行中に、電子時計が自動的に衛星信号の受信を開始した場合でも、衛星信号の受信に成功する確率を高くできる。自動受信に成功する確率が高まれば、自動的に内部時刻も修正できる。これにより、表示時刻の精度も向上でき、利便性の高い電子時計を提供できる。
【０００８】
本発明の電子時計において、前記給電部は、前記平面アンテナの中心に対して、３時方向または９時方向に配置されていることが好ましい。
給電部が３時方向または９時方向に配置されていれば、腕を垂直方向に下ろした際に電子時計の３時−９時方向を天頂方向に向けることができる。したがって、歩行中に腕を前後に移動した場合でも、受信感度の変化を小さくでき、自動受信の成功確率をより向上できる。
【０００９】
本発明の電子時計において、前記平面アンテナは、平面アンテナの中心位置が、前記ケースの平面中心に対して１１時方向から１時方向までの角度範囲内、または、５時方向から７時方向までの角度範囲内に配置されていることが好ましい。
このような構成によれば、例えば、平面矩形状の平面アンテナを、平面円形のケース内で、ケースの平面中心よりも１２時側や６時側に配置した場合、平面アンテナの１２時側や６時側の側面はケースに近接するが、３時や９時側の側面はケースから離して配置できる。このため、給電部を第１角度範囲内または第２角度範囲内に配置すれば、給電部をケースから離すことができ、導電性のケースによる影響を受け難くできる。したがって、給電部をケースに最も近接した側面側に配置した場合に比べて、平面アンテナの受信感度を向上できる。
【００１０】
本発明の電子時計において、前記平面アンテナは、誘電体基材と、前記誘電体基材の表面に設けられた前記アンテナ電極と、前記誘電体基材の裏面に設けられたグランド電極と、前記裏面に設けられた給電電極とを備え、前記給電部は、前記給電電極であることが好ましい。
このような構成によれば、前記給電部をストリップ電極で構成でき、給電ピンを用いる場合に比べて、平面アンテナを薄型化でき、平面アンテナを面実装で容易に製造できる。
【００１１】
本発明の電子時計において、前記平面アンテナは、誘電体基材と、前記誘電体基材の表面に設けられた前記アンテナ電極と、前記誘電体基材の裏面に設けられたグランド電極と、前記裏面に設けられた給電電極と、前記給電電極に導通されて前記誘電体基材の側面に設けられた側面電極とを備え、前記給電部は、前記給電電極および前記側面電極を備えて構成されることが好ましい。
このような構成によれば、前記給電部をストリップ電極で構成でき、給電ピンを用いる場合に比べて、平面アンテナを薄型化でき、平面アンテナを面実装で容易に製造できる。
【００１２】
本発明の電子時計において、前記ケース内に配置される電池を有し、平面視において、前記ケース内を、前記ケースの中心と前記平面アンテナの中心とを通る直線に直交し且つ前記ケースの中心を通る直線で仮想的に２つの領域に分けたとき、前記電池は、前記平面アンテナが配置される領域とは異なる領域に配置されることが好ましい。
このような構成によれば、平面アンテナを、電池から離して配置できる。これにより、電池による影響を抑制でき、電池が平面アンテナと同じ領域に配置される場合に比べて、平面アンテナの受信感度を向上できる。
【００１３】
本発明の電子時計は、前記ケースの厚さ方向において、前記平面アンテナよりも時計表面側に配置され、平面視において、前記平面アンテナと重ならない金属部品を備え、前記金属部品と前記アンテナ電極との最短距離は、前記平面アンテナの厚さ寸法の８０％以上であることが好ましい。
電子時計において、平面アンテナよりも時計表面側に、耐磁板や太陽電池パネルの電極部などの金属部品が配置されることがある。この場合、前記金属部品とアンテナ電極との最短距離を平面アンテナの厚さ寸法の８０％以上とすれば、金属部品の影響を抑制でき、金属部品がより近接した場合に比べて、平面アンテナの受信感度を向上できる。
【００１４】
本発明の電子時計において、水晶振動子、モーター、耐磁板の少なくともいずれかを有し、平面視において、前記ケース内を、前記ケースの中心と前記平面アンテナの中心とを通る第１直線と、前記第１直線に直交し且つ前記ケースの中心を通る第２直線とで仮想的に４つの領域に分けたとき、前記水晶振動子、前記モーター、前記耐磁板の少なくともいずれかは、前記給電部が配置される領域とは異なる領域に配置されることが好ましい。
水晶振動子、モーター、耐磁板は、金属製の部品を有するため、受信に影響を与える可能性がある。したがって、これらの部品の少なくともいずれかを給電部と異なる領域に配置すれば、給電部から離して配置できて影響を抑制でき、これらの部品のすべてが給電部と同じ領域に配置される場合に比べて、平面アンテナの受信感度を向上できる。
【００１５】
本発明の電子時計において、前記平面アンテナは、パッチアンテナであることが好ましい。
パッチアンテナは、平板型のアンテナであり、単一の指向性を持ち、指向性が狭いことで知られているが、パッチアンテナが実装される回路基板は、グランド板の機能を有するので、外部から入射する無線電波を回路基板上で反射させてアンテナに導くことができる。そのため、アンテナは、アンテナに直接的に入射する無線電波のみならず、回路基板で反射されて間接的に入射する無線電波も受信できる。従って、パッチアンテナを用いれば、アンテナの受信性能をより向上できる。
【００１６】
本発明の電子時計において、前記平面アンテナおよび前記平面アンテナ用の受信ＩＣが実装された回路基板を備え、前記平面アンテナの前記給電部と、前記受信ＩＣとを接続する配線は、前記回路基板に直線状に配線されていることが好ましい。
衛星信号等の高周波信号を送信する配線は、直角配線のように、直線部分と折曲部分とでパターン幅の変化が大きくなると、特性インピーダンスの変化も大きくなってノイズの影響を受けやすい。したがって、給電部から受信ＩＣまでの配線を直線状に配線できれば、ノイズの影響を最小限にできる。
【００１７】
本発明の電子時計は、ケースと、前記ケース内に配置される文字板と、前記ケース内であって前記文字板の裏面側に配置され、円偏波を受信する平面アンテナと、前記平面アンテナを作動させる制御部と、前記ケースの１２時側および６時側にそれぞれ接続される第１バンドおよび第２バンドと、を有する電子時計であって、前記平面アンテナは、縮退分離素子を有するアンテナ電極と、給電部とを備え、前記給電部は、前記平面アンテナの中心に対して、第１角度範囲内または第２角度範囲内に配置され、前記平面アンテナの前記文字板側の面を含む平面において、前記平面アンテナの中心を原点とし、前記第１バンドおよび前記第２バンドの長手方向に平行であり、前記原点から前記第１バンドに向かう直線を基準線とした場合に、前記第１角度範囲は、前記原点を回転中心として前記基準線から時計回りに４５度から１３５度までの範囲であり、前記第２角度範囲は、前記原点を回転中心として前記基準線から反時計回りに４５度から１３５度までの範囲であることを特徴とする。
本発明においても、平面アンテナの給電部を平面アンテナの中心に対して、第１角度範囲（基準線から時計回りに４５度から１３５度までの９０度の角度範囲）、または、第２角度範囲（基準線から反時計回りに４５度から１３５度までの９０度の角度範囲）に配置したので、電子時計の側面方向の指向性を３時−９時方向を中心とした９０度の角度範囲内で設定することができる。このため、天頂方向に位置する衛星からの信号を受信し易くなり、衛星信号の受信感度を向上でき、ユーザーが屋外を歩行中に、電子時計が自動的に衛星信号の受信を開始した場合でも、衛星信号の受信に成功する確率を高くできる。自動受信に成功する確率が高まれば、自動的に内部時刻も修正できるため、表示時刻の精度も向上でき、利便性の高い電子時計を提供できる。
【図面の簡単な説明】
【００１８】
【図１】本発明の第１実施形態に係る電子時計を示す概略図。
【図２】前記電子時計の表面側を示す正面図。
【図３】前記電子時計の裏蓋側を示す背面図。
【図４】前記電子時計の断面図。
【図５】前記電子時計の断面図。
【図６】前記電子時計のムーブメントの要部を示す平面図。
【図７】前記電子時計のムーブメントの要部を示す分解斜視図。
【図８】前記電子時計内に組み込まれる平面アンテナを示す斜視図。
【図９】前記平面アンテナの裏面を示す図。
【図１０】前記平面アンテナのＸＹ方向の放射パターンを示す特性図。
【図１１】前記電子時計を装着したユーザーの歩行時の電子時計の向きを示す図。
【図１２】前記平面アンテナに対する金属部品の影響実験時の配置を示す模式図。
【図１３】前記平面アンテナと金属部品との距離と周波数シフト量との関係を示すグラフ。
【図１４】前記電子時計の回路構成を示すブロック図。
【図１５】前記電子時計の自動受信処理を示すフローチャート。
【図１６】本発明の第２実施形態に係る電子時計の正面図。
【図１７】本発明の第３実施形態に係るムーブメントの要部を示す平面図。
【図１８】本発明の変形例に係る電子時計の断面図。
【図１９】本発明の他の変形例に係る電子時計の断面図。
【図２０】本発明の他の変形例に係る平面アンテナを示す斜視図。
【発明を実施するための形態】
【００１９】
［第１実施形態］
以下、本発明に係る第１実施形態の電子時計１を図面に基づいて説明する。本実施形態では、電子時計１のカバーガラス３１側を表面側（上側）とし、裏蓋１２側を裏面側（下側）として説明する。
本実施形態の電子時計１は、後述するように、地球の上空を所定の軌道で周回している複数のＧＰＳ衛星や準天頂衛星などの位置情報衛星Ｓからの衛星信号を受信して衛星時刻情報を取得し、内部時刻情報を修正できるように構成されている。さらに、電子時計１は、衛星信号の受信処理として、ユーザーがボタンを操作することで受信を開始する手動受信に加えて、所定の条件に該当した際に自動的に受信を開始する自動受信を備えている。
【００２０】
電子時計１は、図１〜５に示すように、文字板２、ムーブメント２０、平面アンテナ４０、二次電池２４等を収容する外装ケース１０を備える。また、電子時計１は、外部操作用のリューズ６と、４つのボタン７Ａ、７Ｂ、７Ｃ、７Ｄと、外装ケース１０に接続されるバンドとを備える。バンドは、外装ケース１０の１２時側に接続される第１バンド１５と、６時側に接続される第２バンド１６と、図示略の中留とを備える。第１バンド１５、第２バンド１６は、外装ケース１０に取り付けられるチタン等の金属製のエンドピースと、複数の駒とを備えるメタルバンドである。なお、バンドとしては、メタルバンドに限らず、レザーバンドや樹脂バンドなどでもよい。
【００２１】
文字板２は、ポリカーボネートなどの非導電性部材にて円板状に形成されている。文字板２の平面中心には、指針軸３Ａが配置され、この指針軸３Ａには指針３（秒針３Ｂ、分針３Ｃ、時針３Ｄ）が取り付けられている。
文字板２は、３つの小窓（サブダイヤル）を有する。すなわち、図２に示すように、文字板２の指針軸３Ａが設けられた平面中心に対して、２時方向に円形の第１小窓７７０と指針７７１が設けられ、１０時方向に円形の第２小窓７８０と指針７８１が設けられ、６時方向に円形の第３小窓７９０と指針７９１が設けられている。
また、文字板２の平面中心に対して、４時方向に矩形の日窓２Ｂが設けられている。図４にも示すように、文字板２の裏面側には日車５が配置され、日車５は日窓２Ｂから視認可能となっている。さらに、文字板２には、指針軸３Ａが挿通される貫通孔２Ｃと、指針７７１、７８１、７９１の指針軸が挿通される貫通孔も形成されている。
【００２２】
本実施形態では、第１小窓７７０の指針７７１は、クロノグラフ分針であり、第２小窓７８０の指針７８１は、１／５クロノグラフ秒針である。第３小窓７９０の指針７９１は、モード針およびクロノグラフ時針を兼用している。指針７９１がモード針として用いられる場合は、夏時間の設定（ＤＳＴ：夏時間ＯＮ、○：夏時間ＯＦＦ）と、二次電池２４の残量を示すパワーインジケーターと、機内モードと、ＧＰＳ時刻情報を受信し内部時刻を修正する測時モードと、ＧＰＳ時刻情報と軌道情報とを受信して内部時刻とタイムゾーンとを修正する測位モードとの各モードの設定を表示する。
これらの秒針３Ｂ、分針３Ｃ、時針３Ｄ、指針７７１、７８１、７９１および日車５は、後述するステップモーターおよび輪列を介して駆動される。
【００２３】
［電子時計の外装構造］
図２〜図５に示すように、電子時計１は、後述するムーブメント２０等を収容する外装ケース１０を備える。なお、図４は、文字板２の６時位置および１２時位置を結ぶIV−IV線に沿った断面図であり、図５は、文字板２の２時位置および８時位置を結ぶＶ−Ｖ線に沿った断面図である。
外装ケース１０は、ケース本体１１と、裏蓋１２と、カバーガラス３１を備える。ケース本体１１は、円筒状の胴１１１と、胴１１１の表面側に設けられたベゼル１１２とを備える。
ケース本体１１の裏面側には、ケース本体１１の裏面側の開口を塞ぐ円板状の裏蓋１２が設けられている。裏蓋１２は、ケース本体１１の胴１１１にねじ構造により接続される。なお、本実施形態では、胴１１１と裏蓋１２とは、別体で構成されているが、これに限らず、胴１１１および裏蓋１２が一体化されたワンピースケースでもよい。
胴１１１、ベゼル１１２、裏蓋１２には、ＳＵＳ（ステンレス鋼）、チタン合金、アルミ、ＢＳ（真鍮）などの金属材料が利用される。
【００２４】
［電子時計の内部構造］
次に、電子時計１の外装ケース１０に内蔵される内部構造について説明する。
図４、５に示すように、外装ケース１０内には、文字板２の他、ムーブメント２０、平面アンテナ（パッチアンテナ）４０、日車５、ダイヤルリング３２等が収容される。
【００２５】
ムーブメント２０は、地板２１、輪列受け（図示略）、地板２１および輪列受けに支持される駆動体２２、第１回路基板７２３、第２回路基板７２４、二次電池２４、太陽電池パネル２５、第１耐磁板９１、第２耐磁板９２を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。
駆動体収容部２１Ａおよびアンテナ収容部２１Ｃは、地板２１の裏面側に設けられている。アンテナ収容部２１Ｃは、平面位置が文字板２の１２時位置であるため、図２、３に示すように、平面アンテナ４０は１２時位置に配置されている。具体的には、平面アンテナ４０は、指針３の指針軸３Ａとケース本体１１との間であり、かつ、文字板２の略１１時位置から略１時位置の範囲に配置されている。すなわち、平面アンテナ４０の中心位置は、外装ケース１０の平面中心（文字板２の中心）に対して１１時方向から１時方向までの６０度の角度範囲内に配置されている。
【００２６】
駆動体２２は、地板２１の駆動体収容部２１Ａに収容され、秒針３Ｂ、分針３Ｃ、時針３Ｄ、指針７７１、７８１、７９１および日車５を駆動する。すなわち、駆動体２２は、図６に示すように、秒針３Ｂを駆動するステップモーター２２１および第１輪列２２１Ａ（図４）と、分針３Ｃおよび時針３Ｄを駆動する第２ステップモーター２２２および第２輪列２２２Ａ（図５）と、指針７９１および日車５の駆動に兼用される第３ステップモーター２２３および第３輪列２２３Ａ（図４）とを有する。第３輪列２２３Ａは、日車５を回転する日回し車２２８（図７）を有する。
さらに、駆動体２２は、指針７７１を駆動する第４ステップモーター２２４および第４輪列７７１Ａ（図５）と、指針７８１を駆動する第５ステップモーター２２５および第５輪列（図示略）とを有する。
【００２７】
ステップモーター２２１〜２２５は、平面アンテナ４０と平面的に重ならない領域に配置されている。指針７７１が取り付けられる指針軸４Ｂと、指針７８１が取り付けられる指針軸４Ｃと、指針７９１が取り付けられる指針軸４Ｄとは、それぞれ日車５の内周側に配置されている。
【００２８】
図６に示すように、ムーブメント２０において、平面視で文字板２の３時位置には、リューズ６に接続される巻真７０６が配置され、巻真７０６の周囲には、おしどり等の図示略のスイッチ機構（切換機構）が配置されている。
【００２９】
［耐磁板］
近年、スマートフォンなどの携帯端末用のケースに、高性能な磁石が多く使われるようになり、腕時計にも耐磁性が求められている。このため、外部磁界を迂回させて、ステップモーター２２１〜２２５の誤動作を防止するために、図７に示すように、純鉄などの高透磁率材からなる第１耐磁板９１および第２耐磁板９２が、平面的にステップモーター２２１〜２２５と重なる位置に配置されている。なお、各ステップモーター２２１〜２２５は、コアに巻回されたコイルと、ステーターと、ローターとを備える。これらのうち、コイル部分は外部磁界の影響を受けにくいので、耐磁板９１、９２とは必ずしも平面的に重ならなくてもよい。従って、耐磁板９１、９２は、ステップモーター２２１〜２２５の少なくとも一部に平面的に重なり、特に、ステーターやローターと平面的に重なることが好ましい。
第１耐磁板９１は、図４、５に示すように、地板２１および日車５の時計表面側（カバーガラス３１側）であり、太陽電池パネル２５の裏面側に配置されている。この耐磁板９１は、ステップモーター２２１〜２２５の表面（文字板２側の面）をほぼ覆うように配置される。
第１耐磁板９１には、図７に示すように、日窓２Ｂに対応する位置に形成されて日車５を視認可能にするための開口部９１１や、指針軸３Ａ、４Ｂ，４Ｃ，４Ｄが配置される開口部９１３〜９１６が形成されている。
第１耐磁板９１において、前記平面アンテナ４０と平面視で重なる領域は切り欠かれて切欠部９１２とされている。このため、耐磁板９１は、平面アンテナ４０の表面側には配置されず、平面アンテナ４０は、耐磁板９１の切欠部９１２を通して電波を受信できる。
【００３０】
第２耐磁板９２は、図４〜７に示すように、地板２１の時計裏面側（裏蓋１２側）であり、第２回路基板７２４よりも時計表面側に配置されている。具体的には、地板２１の時計裏面側には、各輪列の軸受を有する輪列受け（図示略）が配置され、この輪列受けの時計裏面側に第２耐磁板９２が配置されている。これにより、第２耐磁板９２は、ステップモーター２２１〜２２５の裏面（裏蓋１２側の面）をほぼ覆うように配置される。
【００３１】
ここで、図６に示すように、ムーブメント２０を、平面視で仮想的に４つの領域に分ける。具体的には、ムーブメント２０の平面中心（外装ケース１０および文字板２の中心）および平面アンテナ４０の中心を通る１２時−６時方向の第１直線１０１と、第１直線１０１に直交し且つムーブメント２０の平面中心を通る３時−９時方向の第２直線１０２とで、ムーブメント２０つまり外装ケース１０内を４つの領域１０５〜１０８に仮想的に分割する。
領域１０５は、図６において右上、つまり文字板２の１２時から３時の範囲であり、他の領域１０６〜１０８は時計回りに設定される。
第２耐磁板９２は、平面アンテナ４０と干渉しないように、切欠部９２２が形成されている。このため、第２耐磁板９２は、領域１０５においては、平面アンテナ４０と重ならない部分を覆う形状とされ、領域１０６から領域１０７までは略半円状に形成されている。したがって、第２耐磁板９２は、切欠部９２２によって領域１０８は被覆していない。
この領域１０８には、後述するように、平面アンテナ４０の給電部４４と、受信部（受信ＩＣ）５０とが配置されている。さらに、領域１０８には、ステップモーター２２１〜２２５、水晶振動子６３も配置されていない。
第２耐磁板９２には、各ステップモーター２２１〜２２４のコイルが配置される開口部９２６と、二次電池２４が配置される略円形の切欠部９２７が形成されている。
また、第２直線１０２で仮想的に２つの領域（領域１０５，１０８と、領域１０６，１０７）に分けた場合、平面アンテナ４０と二次電池２４とは、異なる領域に配置されている。
【００３２】
［回路基板］
本実施形態の電子時計１は、図４、５に示す時計駆動制御用の第１回路基板７２３（図７では不図示）と、図４、５、７に示すＧＰＳ受信用の第２回路基板７２４との２枚の回路基板が配置されている。
第１回路基板７２３は、地板２１と第２耐磁板９２との間に配置され、各ステップモーター２２１〜２２５のコイルに導通する配線などが設けられ、コネクター７５１を介して第２回路基板７２４に接続されている。
【００３３】
第１回路基板７２３には、受信用の第２回路基板７２４からの信号を受信して、モーターを制御する時計制御ＩＣ（ＣＰＵ）６１（図１４）と、時計駆動制御ＩＣ（駆動回路）６２（図１４）等が実装されている。
第２回路基板７２４は、第２耐磁板９２の裏面にスペーサー７５０（図７では不図示）を介して配置されている。第２回路基板７２４は、図７にも示すように、平面略円形に形成され、かつ、二次電池２４が配置される略円形の切欠部７３１が形成されている。この切欠部７３１に二次電池２４を配置することで、電子時計１を薄型化できる。第２回路基板７２４の表面側には、平面アンテナ（パッチアンテナ）４０と、ＧＰＳ衛星Ｓから受信した衛星信号を処理する受信部５０（受信素子、受信用ＩＣ、ＧＰＳモジュール）と、電源用ＩＣ７５と、メモリー用ＩＣ７６、チップ素子７６１、水晶振動子６３などが実装されている。メモリー用ＩＣ７６は、フラッシュメモリーで構成され、ＧＰＳ受信用のファームウェアのプログラムや、測位受信処理において算出した位置情報からタイムゾーンを判別するためのタイムゾーンデータが記憶されている。
【００３４】
スペーサー７５０は、各ＩＣ等を保護する。この際、前記各ＩＣは、少なくとも指針軸３Ａ、４Ｂ，４Ｃ，４Ｄの直下と異なる位置に配置することが望ましい。第２回路基板７２４の裏面には、回路押え板７２５が配置されている。
回路押え板７２５には、裏蓋１２に導通するための裏蓋導通バネ７２５Ａが一体に形成されている。この裏蓋導通バネ７２５Ａは、回路押え板７２５において複数形成されている。
【００３５】
さらに、図５に示すように、二次電池２４の裏蓋側には、電池端子板７４０が配置され、電池端子板７４０は第２回路基板７２４に導通されている。さらに、図示は略すが、太陽電池パネル２５は、前記第２回路基板７２４に導通され、太陽電池パネル２５で発電した電力を、第２回路基板７２４を介して二次電池２４に充電可能に構成されている。
【００３６】
［二次電池］
二次電池２４は、図５〜７に示すように、平面円形に形成されたボタン型のリチウムイオン電池であり、駆動体２２、受信部５０等に電力を供給する。二次電池２４は、第２回路基板７２４の切欠部７３１に設けられ、平面視において、平面アンテナ４０、受信部５０、電源用ＩＣ７５と重ならない位置、具体的には、文字板２の平面中心に対して８時方向に配置されている。
【００３７】
［太陽電池パネル］
太陽電池パネル２５は、電極部として表面電極や裏面電極を有する。表面電極は、光を通すためにＩＴＯ（Indium Tin Oxide）などの透明電極で形成されている。また、樹脂フィルムで構成されたベース上に、発電層としてアモルファスシリコン半導体の薄膜が形成されている。
ＧＰＳ衛星信号の周波数は、約１．５ＧＨｚであり、高周波である。高周波は、電波時計で受信する長波の標準電波と異なり、ソーラーパネルの薄い透明電極でも電波は減衰し、アンテナ特性が低下する。このため、図７に示すように、円板状に形成された太陽電池パネル２５は、平面アンテナ４０と平面視で重なる部分に切欠部２５１が形成されている。太陽電池パネル２５は、地板２１の表面側に配置され、平面アンテナ４０の表面側には配置されていない。したがって、平面アンテナ４０は、太陽電池パネル２５の切欠部２５１を通して電波を受信できる。
なお、太陽電池パネル２５には、文字板２の日窓２Ｂと平面的に重なる開口２５２や、指針軸３Ａ，４Ｂ〜４Ｄが挿通される孔２５３，２５７〜２５９が形成されている。
さらに、太陽電池パネル２５は、複数のセルに分割され、各セルは直列に接続されている。本実施形態の太陽電池パネル２５は、図７に示すように、８個のソーラーセルを有し、各ソーラーセルが直列に接続されている。１つのソーラーセルでの起電圧は約０．６Ｖ以上である。このため、８個のソーラーセルを直列に接続すれば、約０．６Ｖ×８段＝約４．８Ｖ以上の起電圧が得られる。したがって、起電圧が大きなリチウムイオン二次電池２４を充電でき、ＧＰＳ受信装置（ＧＰＳモジュール）などの消費電流の大きなデバイスを内蔵できる。
【００３８】
［日車］
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車は、日車に限らず、曜日を表示する曜車や、月を表示する月車などでもよい。
【００３９】
［文字板］
地板２１の表面側には、太陽電池パネル２５および日車５の表面側を覆って、文字板２が配置される。文字板２は、非導電性を有し、かつ、少なくとも一部の光を透過させる透光性を有するプラスチックなどの材料で形成されている。
ここで、平面視において平面アンテナ４０と重なる文字板２の表面に、略字等を設けることができる。この場合、平面アンテナ４０の受信性能を向上させるため、略字等の文字板２の表面に設けられるパーツは、金属製ではなく、プラスチック等の非導電性部材にて形成されることが好ましい。一方、平面アンテナ４０と平面的に重ならない第３小窓７９０や略字は、金属パーツを用いることができる。
また、文字板２は、透光性を有する。そのため、ユーザーが時計の表面側から見ると、文字板２の裏面側に配置された太陽電池パネル２５が透けて見える。このため、太陽電池パネル２５が配置されている領域と配置されていない領域とで、文字板２の色が違って見える。この色の違いが目立たないように、文字板２はデザイン的なアクセントを有してもよい。
さらに、太陽電池パネル２５に切欠部２５１を形成したことで、切欠部２５１に重なる部分の文字板２の色調が他の部分と違って見えることがある。それを防止するために太陽電池パネル２５と同色（例えば紺色や紫色）のプラスチックシートを太陽電池パネル２５の下に重ねてもよいし、太陽電池パネル２５全体を切り欠かずに、電波遮蔽する電極層を平面アンテナ４０と平面的に重なる部分のみ取り除いて、基材となる樹脂フィルム層を残して色調を合わせてもよい。
【００４０】
［ダイヤルリング］
文字板２の表面側には、非導電性部材である合成樹脂（例えばＡＢＳ樹脂）にて形成されたリング部材であるダイヤルリング３２が設けられる。ダイヤルリング３２は、文字板２の周囲に沿って配置され、内周面が傾斜面（円錐面）とされ、この傾斜面には時字マークやワールドタイムの時差などの目盛が印刷されている。ダイヤルリング３２をプラスチックで成形すれば、電子時計１は受信性能も確保でき、かつ、ダイヤルリング３２は複雑な形状で形成され得て意匠性を向上できる。
【００４１】
［平面アンテナ］
地板２１のアンテナ収容部２１Ｃには、パッチアンテナ（マイクロストリップアンテナ）である平面アンテナ４０が配置される。平面アンテナ４０は、ＧＰＳ衛星Ｓからの衛星信号を受信するものである。
平面アンテナ４０は、平面視において、ケース本体１１（胴１１１およびベゼル１１２）、太陽電池パネル２５、耐磁板９１，９２とは重ならずに、非導電性部材にて形成された日車５、文字板２、カバーガラス３１と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス３１を透過した後、ケース本体１１、耐磁板９１、９２、太陽電池パネル２５によって遮られることなく、文字板２、日車５、地板２１を透過して平面アンテナ４０に入射する。なお、秒針３Ｂ、分針３Ｃ、時針３Ｄ、指針７７１、指針７８１は平面アンテナ４０と重なる面積が小さいことから、金属製であっても衛星信号の受信に支障ないが、非導電性部材であれば衛星信号が遮断される影響をより回避できる点で好ましい。
【００４２】
ＧＰＳ衛星Ｓは、右旋円偏波で衛星信号を送信している。そのため、本実施形態の平面アンテナ４０は、円偏波特性に優れるパッチアンテナで構成されている。
平面アンテナ４０は、図８、９に示すように、誘電体基材４１にアンテナ電極部４２と、ＧＮＤ電極４３と、給電部４４とを積層した面実装型のパッチアンテナである。給電部４４は、給電電極４４１と、側面電極４４２とを備えた帯状のストリップ電極である。パッチアンテナが方形の場合は、アンテナ電極部４２の一辺が半波長で共振し、円形の場合は直径が約０．５８波長で共振する。しかし、平面アンテナ４０は誘電体基材４１を備えているので、誘電体の波長短縮効果により平面アンテナ４０を小形化できる。
【００４３】
誘電体基材４１は、セラミック等の誘電体によって直方体状に形成されている。ここで、誘電体基材４１の地板２１、文字板２側の面を表面４１１とし、第２回路基板７２４側の面を裏面４１２とする。また、誘電体基材４１の４つの側面をそれぞれ第１側面４１３Ａ、第２側面４１３Ｂ、第３側面４１３Ｃ、第４側面４１３Ｄとする。図９に示すように、第１側面４１３Ａおよび第２側面４１３Ｂが対向配置され、第３側面４１３Ｃおよび第４側面４１３Ｄが対向配置されている。
誘電体基材４１の表面４１１には、アンテナ電極部（放射電極部）４２が形成されている。
アンテナ電極部４２は、平面視で矩形状に形成され、一対の対角部分には、円偏波を受信するために縮退分離素子部４５が形成されている。縮退分離素子部４５は、アンテナ電極部４２で発生する直交する２つの偏波のバランスをずらすものであり、切り欠きや突出部等であれば良い。本実施形態では、アンテナ電極部４２の角部を切り欠くことで縮退分離素子部４５を構成している。
【００４４】
給電部４４の給電電極４４１は、誘電体基材４１の裏面４１２に形成され、側面電極４４２は誘電体基材４１の第１側面４１３Ａに形成されている。給電電極４４１および側面電極４４２は連続して形成されて導通している。
側面電極４４２は、第１側面４１３Ａの中央部においてアンテナ電極部４２と近接して容量結合している。アンテナ電極部４２で受信された衛星電波は、容量結合を介して側面電極４４２に伝達し、給電電極４４１から取り出すことができる。
ＧＮＤ電極４３は、図９にも示すように、誘電体基材４１の裏面４１２において、給電電極４４１と絶縁され、かつ、給電電極４４１以外を覆うベタ電極である。
【００４５】
本実施形態では、給電部４４の配置位置を次のように設定している。
図６に示すように、平面アンテナ４０の中心Ｏに対して第１角度範囲および第２角度範囲を仮想的に設定する。
第１角度範囲は、平面アンテナ４０の中心Ｏに対する方向を、文字板２（ムーブメント２０）の中心に対する目盛の方向に対応させた場合に、１．５時方向から４．５時方向までの角度範囲である。１．５時方向とは、文字板２の中心を通る第１直線１０１、第２直線１０２に対して４５度の角度方向であるため、図６において平面アンテナ４０の中心Ｏから第２側面４１３Ｂおよび第３側面４１３Ｃが交差する角部に向かう仮想線４７１の方向である。同様に、４．５時方向とは、平面アンテナ４０の中心Ｏから第２側面４１３Ｂおよび第４側面４１３Ｄが交差する角部に向かう仮想線４７２の方向である。
第２角度範囲は、平面アンテナ４０の中心Ｏに対する方向を、文字板２（ムーブメント２０）の中心に対する目盛の方向に対応させた場合に、７．５時方向から１０．５時方向までの角度範囲である。７．５時方向とは、図６において平面アンテナ４０の中心Ｏから第１側面４１３Ａおよび第４側面４１３Ｄが交差する角部に向かう仮想線４７３の方向である。１０．５時方向とは、平面アンテナ４０の中心Ｏから第１側面４１３Ａおよび第３側面４１３Ｃが交差する角部に向かう仮想線４７４の方向である。
したがって、第１、２角度範囲は中心角が９０度の角度範囲である。そして、本実施形態では、給電部４４は、第２角度範囲内に配置されている。さらに、給電部４４は、平面アンテナ４０の中心Ｏに対して第２直線１０２と平行な直線１０３（図３）上に配置されているため、第２角度範囲内において、９時方向に配置されている。
なお、第１角度範囲および第２角度範囲は、以下のように説明することもできる。文字板２に平行であって、平面アンテナ４０の上面（表面）４１１を含む平面Ａを考える。当該平面Ａにおいて、平面アンテナ４０の平面中心Ｏを原点とし、外装ケース１０に接続される第１バンド１５、第２バンド１６の長手方向に平行であり、前記原点から第１バンド１５に向かう直線を基準線４７０とする。基準線４７０は、中心Ｏを原点とし、第１直線１０１に重なる直線である。第１角度範囲は、原点を回転中心として基準線４７０から時計回りに４５度から１３５度までの範囲である。第２角度範囲は、原点を回転中心として基準線４７０から反時計回りに４５度から１３５度までの範囲である。本実施形態では、給電部４４は、基準線４７０に対して反時計回りに９０度の位置に配置されている。
【００４６】
この平面アンテナ４０は、次のようにして製造できる。まず、比誘電率が６０〜１２０程度のチタン酸バリウムを主原料にプレス機で目的の形に成形し、焼成を経てアンテナの誘電体基材４１となるセラミックスを完成する。誘電体基材４１の裏面４１２には、主に銀（Ag）等のペースト材をスクリーン印刷すること等で、アンテナのグランド電極となるＧＮＤ電極４３を構成する。
誘電体基材４１の表面４１１には、アンテナの周波数、受信する信号の偏波を決めるアンテナ電極部４２をＧＮＤ電極４３と同様な方法で構成する。アンテナ電極部４２は、誘電体基材４１の表面よりも一回り小さく形成され、誘電体基材４１の表面においてアンテナ電極部４２の周囲には、アンテナ電極部４２が積層されておらず誘電体基材４１が露出する露出面が設けられる。
誘電体基材４１の裏面４１２および第１側面４１３Ａには、給電部４４の給電電極４４１および側面電極４４２を、ＧＮＤ電極４３と同様な方法で構成する。
誘電体基材４１は、例えば、表面形状は略正方形状であり、一辺の寸法は約１１ｍｍであり、厚さ寸法は３ｍｍである。アンテナ電極部４２は、例えば、表面形状は略正方形状であり、一辺の寸法は約８〜９ｍｍである。
【００４７】
図１０は平面アンテナ４０の放射パターンを示す特性図である。この特性図は、図８に示すように、平面アンテナ４０のアンテナ電極部４２の平面中心位置から側面電極４４２つまり給電部４４が形成された第１側面４１３Ａに向かう方向をＸ軸とし、アンテナ電極部４２の表面においてＸ軸に直交する方向をＹ軸とし、Ｘ軸およびＹ軸に直交する方向をＺ軸方向とした場合、前記Ｘ軸方向を３時方向または９時方向とした場合の特性を示す。すなわち、図１０は、平面アンテナ４０の給電部４４を３時方向または９時方向に配置した場合のＸＹ方向の放射パターンを示す特性図である。
なお、給電部４４を３時方向または９時方向に配置するとは、平面アンテナ４０の平面中心から給電部４４が配置された方向を、文字板２の平面中心からの方向に対応させた場合に、３時の目盛に向かう方向、または、９時の目盛に向かう方向であることを示す。したがって、図２，３，６に示す平面アンテナ４０は、９時方向に給電部４４が配置される向きで設置されている。
【００４８】
図１０において、実線４０１はアンテナの右旋偏波特性であり、点線４０２はアンテナの左旋偏波特性である。また、図１０において、０度は１２時方向、９０度は３時方向、１８０度（−１８０度）は６時方向、−９０度は９時方向である。したがって、右旋偏波特性においては、３時−９時方向の指向性が得られる。
図１１に示すように、ユーザーが電子時計１を装着して歩いている状態で自動受信処理を実行した場合、ユーザーが電子時計１を左手首に装着している場合は、電子時計１の９時方向がほぼ天頂方向となり、右手首に装着している場合は、３時方向がほぼ天頂方向となる。したがって、本実施形態の平面アンテナ４０のように、３時−９時方向の指向性があれば、天頂方向からの衛星信号を受信しやすくできる。
【００４９】
この平面アンテナ４０は、第２回路基板７２４の表面に実装され、第２回路基板７２４に実装された受信部５０であるアンテナＧＰＳモジュールに、給電ライン４６を介して電気的に接続される。給電ライン４６は、第２回路基板７２４上に形成される配線であり、本実施形態では、図６に示すように、給電部４４と受信部５０とを直線で結ぶように配線されている。このため、給電ライン４６は、給電部４４の給電電極４４１から約８時方向に向かって斜めに引き出している。なお、給電ライン４６は、給電部４４と受信部５０とを直線で結ぶ配線に限定されない。しかし、高周波信号を送信するためには、できるだけ直線に近い配線が好ましい。このため、配線を曲げる必要がある場合は、直角に曲げずに、例えば４５度の角度で曲げるなどすればよい。直角に曲げると、直角部分のパターン幅と直線部分のパターン幅の変化が大きくなり、特性インピーダンスの変化も大きくなってノイズの影響を受けやすいからである。
さらに、平面アンテナ４０のＧＮＤ電極４３は、第２回路基板７２４のグランドパターンを介して受信部５０のグランド部に導通しており、第２回路基板７２４はグランド板（グランドプレーン）として機能する。さらに、受信部５０のグランド部は、第２回路基板７２４のグランドパターンを介して金属製の胴１１１や裏蓋１２に導通しており、胴１１１や裏蓋１２もグランドプレーンとして利用できる。
【００５０】
この平面アンテナ４０は、図４に示すように、第２回路基板７２４を地板２１に固定することで、アンテナ収容部２１Ｃに配置される。平面アンテナ４０の誘電体基材４１は、セラミックで硬く欠けやすいため、地板２１との間にはスポンジなどの緩衝材４７が介在されている。このため、誘電体基材４１が地板２１に衝突して破損することを防止できる。
【００５１】
［アンテナ電極部と金属製部品との距離］
パッチアンテナの動作原理は、パッチ（アンテナ電極部４２）の縁に沿った強い電界が、縁から空間へ向かって放射されるため（送信アンテナとして用いた場合）、アンテナ近傍の電気力線は強くなり、近傍の金属や誘電体の影響を受けやすい。特に、アンテナ電極部４２より上方（カバーガラス３１側）に位置する金属部品の影響は大きい。
このため、平面アンテナ４０の上面（アンテナ電極部４２）よりも上側（カバーガラス３１側）に配置される金属部品と、アンテナ電極部４２との位置関係は以下のように設定している。
本実施形態において、平面アンテナ４０の上面より上側に配置される金属部品は、外装ケース１０のケース本体１１（胴１１１）、第１耐磁板９１、太陽電池パネル２５の電極部である。
図４に示すように、アンテナ電極部４２とケース本体１１との最短距離をＤ１、アンテナ電極部４２と文字板２の裏面に配置される第１耐磁板９１との最短距離をＤ２、アンテナ電極部４２と太陽電池パネル２５の電極部との最短距離をＤ３とする。また、平面アンテナ４０の厚さ寸法をｔとする。
【００５２】
上記Ｄ１〜Ｄ３を設定するために、アンテナ電極部４２と金属部品との距離による受信特性への影響を確認した実験例を、図１２，１３を参照して説明する。
平面アンテナ４０は、平面視で１１ｍｍ×１１ｍｍの矩形状とされ、厚さ寸法ｔが３ｍｍのものを用いた。図１２に示すように、平面アンテナ４０の周囲には発泡スチロール４５０を配置し、発泡スチロール４５０の上面に、太陽電池の電極からなる金属片４５１を配置し、平面アンテナ４０と金属片４５１との距離ａを変化させた場合の平面アンテナ４０への影響を確認した。平面アンテナ４０の影響度は、アンテナの共振周波数の変化で確認した。
【００５３】
図１３に実験結果を示す。なお、金属片４５１との距離ａの変化は、４つの側面４１３Ａ〜４１３Ｄのすべてに対して実験した。
図１３のグラフにおいて、横軸は距離ａの寸法（ｍｍ）であり、縦軸は周波数シフト量（ＭＨｚ）である。また、線４６１は側面４１３Ａに対して金属片４５１を変化させた場合の周波数シフト量である。他の線４６２〜４６４は、第２側面４１３Ｂ〜第４側面４１３Ｄに対して金属片４５１をそれぞれ変化させた場合の周波数シフト量である。
図１３に示すように、いずれの側面４１３Ａ〜４１３Ｂに対しても、２．５ｍｍ以上離すことで周波数シフト量が０ＭＨｚとなった。すなわち、寸法ａを平面アンテナ４０の厚さ寸法（３ｍｍ）の約８０％以上にすれば、金属部品の影響を軽減できる。
このため、本実施形態では、最短距離Ｄ１〜Ｄ３は、少なくとも平面アンテナ４０の厚さ寸法（Ｈ１＝３ｍｍ）の８０％である２．４ｍｍ以上に設定した。
【００５４】
［電子時計の回路構成］
図１４は、電子時計１の回路構成を示す概略図である。
電子時計１は、平面アンテナ４０と、フィルター（ＳＡＷ）３５と、受信部５０と、制御表示部６０と、電源供給部７０を含んで構成されている。
フィルター３５は、バンドパスフィルターであり、１．５ＧＨｚの衛星信号を通過させるものとなっている。また、平面アンテナ４０とフィルター３５との間に、受信感度を良好にするＬＮＡ（ローノイズアンプ）を別途組み込む構成としてもよい。なお、フィルター３５が受信部５０内に組み込まれる構成としてもよい。
【００５５】
受信部５０は、フィルター３５を通過した衛星信号を処理するものであり、ＲＦ部（Radio Frequency：無線周波数）５１とベースバンド部５２を備える。
ＲＦ部５１は、ＰＬＬ回路５１１、ＶＣＯ（Voltage Controlled Oscillator）５１２、ＬＮＡ（Low Noise Amplifier）５１３、ミキサー５１４、ＩＦアンプ５１５、ＩＦフィルター５１６、ＡＤＣ（Ａ／Ｄ変換器）５１７等を備えている。
【００５６】
そして、フィルター３５を通過した衛星信号は、ＬＮＡ５１３で増幅された後、ミキサー５１４でＶＣＯ５１２の信号とミキシングされ、ＩＦ（Intermediate Frequency：中間周波数）にダウンコンバートされる。
ミキサー５１４でミキシングされたＩＦは、ＩＦアンプ５１５、ＩＦフィルター５１６を通り、ＡＤＣ（Ａ／Ｄ変換器）５１７でデジタル信号に変換される。
【００５７】
ベースバンド部５２は、ＤＳＰ（Digital Signal Processor）５２１、ＣＰＵ（Central Processing Unit）５２２、ＲＴＣ（リアルタイムクロック）５２３、ＳＲＡＭ（Static Random Access Memory）５２４を備えている。また、ベースバンド部５２には、温度補償回路付き水晶発振回路（ＴＣＸＯ）５３やフラッシュメモリー５４等も接続されている。
そして、ベースバンド部５２は、ＲＦ部５１のＡＤＣ５１７からデジタル信号が入力され、相関処理や測位演算等を行うことにより、衛星時刻情報や測位情報を取得できるようになっている。
なお、ＰＬＬ回路５１１用のクロック信号は、温度補償回路付き水晶発振回路（ＴＣＸＯ）５３から生成されるようになっている。
【００５８】
制御表示部６０は、制御部（ＣＰＵ）６１と、秒針３Ｂ、分針３Ｃ、時針３Ｄ等の駆動を実施する駆動回路６２と、時刻表示部および情報表示部等とを備えている。
制御部６１は、ＲＴＣ６１１、記憶部６１２を含んで構成されている。
ＲＴＣ６１１は、水晶振動子６３から出力される基準信号を用いて、内部時刻情報を計時している。
記憶部６１２は、受信部５０から出力される衛星時刻情報や測位情報を記憶する。また、記憶部６１２には、測位情報に対応する時差データも記憶され、ＲＴＣ６１１で計時されている内部時刻情報および時差データにより、現在地のローカルタイムを算出できるようにされている。
【００５９】
本実施形態の電子時計１は、上述のような受信部５０および制御表示部６０を備えていることで、ＧＰＳ衛星Ｓから受信した衛星信号に基づいて時刻表示を自動的に修正することができる。
【００６０】
電源供給部７０は、太陽電池パネル２５、充電制御回路７１、二次電池２４、第１レギュレーター７２、第２レギュレーター７３、電圧検出回路７４を含んで構成されている。
【００６１】
太陽電池パネル２５は、光が入射して発電すると、その光発電により得られる電力を、充電制御回路７１を通じて二次電池２４に供給して二次電池２４を充電する。
二次電池２４は、第１レギュレーター７２を介して制御表示部６０に駆動電力を供給し、第２レギュレーター７３を介して受信部５０に駆動電力を供給する。
電圧検出回路７４は、二次電池２４の電圧をモニターし、制御部６１に出力する。従って、制御部６１は、二次電池２４の電圧を把握して受信処理を制御できる。また、電圧検出回路７４は、充電制御回路７１によって、二次電池２４と太陽電池パネル２５とを切断した状態で、太陽電池パネル２５の開放電圧を検出し、制御部６１に出力する。従って、制御部６１は、太陽電池パネル２５に照射している光の強度を把握して、電子時計１が屋外に配置されているか否かを判断できる。このため、太陽電池パネル２５は屋外検出センサーとしても機能する。なお、屋外検出センサーは、発電用の太陽電池パネル２５で兼用するものに限定されず、紫外線センサーや照度センサーなどの専用のセンサーで構成してもよい。
なお、充電制御回路７１と電圧検出回路７４は、電源用ＩＣ７５に構成されている。メモリー用ＩＣ７６、チップ素子７６１は、図１４では図示を省略する。
【００６２】
［自動受信処理］
図１５は、制御部６１における衛星信号の自動受信処理を示すフローチャートである。自動受信処理は、予め設定された時刻に受信を開始する定時受信処理と、電子時計１が屋外に配置されることを検出した場合に受信を開始する屋外受信処理とを備えている。また、自動受信処理では、少なくとも１つの位置情報衛星Ｓを捕捉して衛星信号を受信し、時刻情報を取得して内部時刻を修正するものである。
【００６３】
制御部６１は、記憶部６１２に記憶された受信制御の開始時刻に受信制御を始める。本実施形態では、前記受信制御の開始時刻は、毎日１２時００分００秒（２４時間表記）に設定されている。従って、制御部６１は、ＲＴＣ６１１で計時している内部時刻が、１２時００分００秒になると、図１５の受信制御処理を開始する。
受信制御を開始すると、制御部６１は、まず、変数Ｈ、Ｔを「０」に初期化する（ＳＡ１）。
ここで、変数Ｈは、予め定められた時間範囲、本実施形態では制御開始時刻である１２時から、次の制御開始時刻直前である翌日の１１時５９分５９秒までの２４時間以内で、制御部６１による屋外受信処理が行われたか否かを示す変数であり、初期値は「０」であり、未実施の場合は「０」に維持され、実施された場合は「１」に更新される。
【００６４】
また、変数Ｔは、同じ時間範囲内（１２時からの２４時間）で、制御部６１による定時受信処理が行われたか否かを示す変数であり、初期値は「０」であり、未実施の場合は「０」に維持され、実施された場合は「１」に更新される。
例えば、定時受信時刻が１５時であれば、１２時から１５時までは前記Ｔは「０」であり、１５時になって定時受信処理が実施されると前記Ｔは「１」となる。その後、１５時から２４時、さらに翌日の１２時まで前記Ｔは「１」に維持され、翌日の１２時になるとＴは「０」に初期化される。
【００６５】
なお、前記制御開始時刻つまり変数Ｈ，Ｔを初期化するタイミングは、１２時００分００秒（正午）に限らず、日付けの変更タイミングに合わせて０時００分００秒（午前０時）に設定したり、人が起きて活動するタイミングを考慮して午前５時００分００秒に設定するなどしてもよい。すなわち、制御開始時刻は、実施にあたって適宜設定すればよい。さらに、制御開始時刻を利用者が自分で指定できるようにしてもよい。
また、制御開始時刻は、１日に２つ以上の時刻を設定してもよいし、２日以上の期間で１回のタイミングに設定してもよい。すなわち、制御開始時刻から次の制御開始時刻までの時間範囲の長さは２４時間に限らず、いずれの時間としてもよいが、通常は、半日（１２時間）、１日（２４時間）、２日（４８時間）など、半日以上の時間に設定することが好ましい。
さらに、前記変数Ｈ，Ｔは、受信結果つまり成功、失敗は関係なく、受信処理が実施されれば「１」に設定される。すなわち、受信に失敗した場合でも「１」に設定される。
【００６６】
［屋外受信処理］
制御部６１は、変数Ｈが「０」の場合、つまり屋外受信処理が未実施の場合に、受信部５０を作動して屋外受信処理を実行する。
具体的には、前記変数の初期化後、制御部６１は変数Ｔが「０」か否かを判定する（ＳＡ２）。そして、制御部６１は、変数Ｔが「１」（ＳＡ２：Ｎｏ）であり、変数Ｈが「０」（ＳＡ３：Ｙｅｓ）の場合と、変数Ｔが「０」（ＳＡ２：Ｙｅｓ）であり、定時受信時刻ではなく（ＳＡ１１：Ｎｏ）、変数Ｈが「０」（ＳＡ１３：Ｙｅｓ）の場合に、受信部５０を作動して屋外受信処理を実行する。
【００６７】
［屋外判定処理］
制御部６１は、太陽電池パネル２５に当たる光の照度に対応する開放電圧の照度検出レベルが、１秒間隔などで２回連続して設定された閾値（検出レベル）以上か否かを判定する（ＳＡ４）。
ＳＡ４でＮｏと判定した場合（低照度状態である場合）、制御部６１は、電子時計１が屋外に配置されておらず、ＧＰＳ信号の受信に適した場所に配置されていない可能性が高いと判断する。そして、制御部６１は、現在の時刻が１１時５９分５９秒になったか否かを判定する（ＳＡ５）。
ＳＡ５でＮｏと判定した場合、制御部６１はＳＡ２に戻り、処理を継続する。一方、ＳＡ５でＹｅｓと判定した場合は、受信制御処理を終了し、次に制御部６１での処理が開始される制御再開時刻まで待機状態に移行する。ここで、制御再開時刻は１秒後の１２時００分００秒である。
【００６８】
また、ＳＡ４でＹｅｓと判定した場合には、ＧＰＳ衛星信号の受信に適した状態になっていると予測できるので、制御部６１は、自動受信処理を開始する。制御部６１は、まず、変数Ｈを「１」に設定する（ＳＡ６）。次に、制御部６１は、受信部５０を作動してＧＰＳ衛星の受信を開始する（ＳＡ７）。
なお、ＳＡ７で開始される受信処理は、ＳＡ４でＹｅｓと判定された場合の屋外受信処理の他、後述する定時受信処理でも実施される。以下、屋外受信処理（光自動受信処理）と定時受信処理とをまとめて、「自動受信処理」という場合がある。
このＳＡ７の自動受信処理では、測時モードでの受信処理が行われるように設定されている。
【００６９】
ＳＡ７での自動受信が開始された後、制御部６１は、ＧＰＳ衛星信号の受信に成功したか否かを判定し（ＳＡ８）、受信に成功したと判定した場合（ＳＡ８：Ｙｅｓの場合）は、受信した衛星信号から取得した時刻情報によってＲＴＣ６１１で計時している内部時刻を修正する（ＳＡ９）。
また、制御部６１は、定時受信時刻として、今回成功した自動受信の開始時刻（自動受信成功時刻）を記憶部６１２に記録する（ＳＡ１０）。
【００７０】
制御部６１は、ＳＡ８でＮｏと判定した場合と、ＳＡ９、ＳＡ１０で内部時刻の修正処理や定時受信時刻の記録処理などを行った場合も、ＳＡ４でＮｏと判定した場合と同様にＳＡ５の制御終了時刻の判定処理を実行する。
【００７１】
［定時受信処理］
一方、ＳＡ２でＹｅｓと判定した場合（変数Ｔが「０」の場合）、制御部６１は、定時受信時刻になったか否かを判定する（ＳＡ１１）。
なお、定時受信時刻は、前述したように、前回の受信成功時の受信開始時刻であり、記憶部６１２に記憶されている。従って、制御部６１は、内部時刻が定時受信時刻になったか否かを判定する。制御部６１は、内部時刻が定時受信時刻になったと判定した場合（ＳＡ１１：Ｙｅｓ）、前記変数Ｔを「１」に設定する（ＳＡ１２）。次に、制御部６１は、受信部５０を作動して自動受信処理を開始する（ＳＡ７）。
そして、屋外受信処理時と同じく、制御部６１は、受信に成功したか否かを判定し（ＳＡ８）、成功していれば内部時刻修正処理（ＳＡ９）と、定時受信時刻の記録処理（ＳＡ１０）を行う。なお、定時受信処理時に受信成功した場合、自動受信の開始時刻は記憶部６１２に記憶されている定時受信時刻と同じである。従って、ＳＡ１０においては、定時受信時刻として同じ時刻が設定されることになる。このため、ＳＡ１０の定時受信時刻の記録処理は、屋外受信処理で受信に成功した場合のみ行うようにしてもよい。
【００７２】
一方で、制御部６１は、ＳＡ１１でＮｏと判定した場合は、変数Ｈが「０」か否かを判定する（ＳＡ１３）。そして、ＳＡ１３でＹｅｓと判定された場合、つまりＴ＝０で定時受信処理は未実施であり、かつ、Ｈ＝０で屋外受信処理も未実施の場合は、制御部６１による屋外受信処理（ＳＡ４〜ＳＡ１０）を実施する。
一方、制御部６１は、ＳＡ１３でＮｏと判定された場合、つまりＨ＝１で屋外受信処理は実施済みであるが、Ｔ＝０で定時受信処理は未実施の場合、ＳＡ５の判定処理に戻る。
【００７３】
また、制御部６１は、ＳＡ３でＮｏと判定された場合、つまりＴ＝１で定時受信処理は実施済みであり、かつ、Ｈ＝１で屋外受信処理も実施済みの場合、既に、屋外受信処理および定時受信処理を１回ずつ実施済みであるため、受信制御処理を終了し、制御再開時刻である翌日の１２時００分００秒まで待機状態に移行する。
すなわち、制御部６１は、受信成功の有無に関係なく、屋外受信処理および定時受信処理を１回ずつ行うことが受信制御の終了条件となる。
また、制御開始時刻から次の制御開始時刻までの間に、定時受信処理は必ず実施されるが、屋外受信処理はＳＡ４でＹｅｓと判定されない限り、実施できない。ＳＡ４で屋外であることを検出できない場合は、ＳＡ５でＹｅｓと判定されるまで、ＳＡ２〜ＳＡ５の処理を繰り返すことになる。
【００７４】
［実施形態の作用効果］
電子時計１は、平面アンテナ４０の給電部４４を３時方向または９時方向となるように配置したので、ＧＰＳ衛星信号のように右旋偏波信号を受信する際に、平面アンテナ４０の平面（ＸＹ）方向の指向性が３時−９時方向となる。したがって、手首に電子時計１を装着した状態でユーザーが歩行している場合に、電子時計１の３時−９時方向を天頂方向に向けることができるため、位置情報衛星Ｓから送信される衛星信号を感度良く受信できる。
従って、特に、自動受信時に受信に成功する確率を向上でき、自動的に内部時刻も修正できるため、表示時刻の精度も向上でき、利便性の高い電子時計１を提供できる。
【００７５】
平面アンテナ４０において、給電部４４を９時方向に配置したので、腕を垂直方向に下ろした際に電子時計１の９時方向を天頂方向に向けることができる。したがって、歩行中に腕を前後に振った場合でも、受信感度の変化を小さくでき、自動受信の成功確率をより向上できる。
【００７６】
平面アンテナ４０を文字板２の中心から１２時方向に配置し、給電部４４を平面アンテナ４０の中心から９時方向に配置したので、給電部４４を外装ケース１０から離して配置することができる。
このため、金属製のケース本体１１による平面アンテナ４０への影響を軽減でき、平面アンテナ４０の受信感度を向上できる。
【００７７】
平面アンテナ４０は、給電部４４を給電電極４４１および側面電極４４２によるストリップ電極で構成したので、給電ピンを用いた給電部に比べて平面アンテナ４０を薄型化でき、面実装で容易に製造できる。また、平面アンテナ４０の端（アンテナの中心に対して偏った位置）付近に給電ピンを設けると、セラミックで形成された誘電体基材４１が割れてしまう場合があるが、ピンを使わないことで誘電体基材４１の割れを防ぐこともできる。
【００７８】
また、第２直線１０２で分けた２つの領域の一方に平面アンテナ４０を配置し、他方に二次電池２４を配置したので、平面アンテナ４０と二次電池２４とを離して配置できる。このため、二次電池２４による影響を抑制でき、平面アンテナ４０の受信感度を向上できる。
【００７９】
アンテナ電極部４２から金属製のケース本体１１までの最短距離Ｄ１と、アンテナ電極部４２から第１耐磁板９１までの最短距離Ｄ２と、アンテナ電極部４２から太陽電池パネル２５の電極部までの最短距離Ｄ３とを、それぞれ平面アンテナ４０の厚さ寸法ｔの８０％以上に設定したので、図１３に示す実験データのように、周波数シフトを無くすことができ、平面アンテナ４０の受信感度への影響を低減できる。
【００８０】
また、外装ケース１０の内部を４つの領域１０６〜１０８に仮想的に分割した際に、受信部５０が配置される領域１０８には、第２耐磁板９２、ステップモーター２２１〜２２５、水晶振動子６３を配置していないので、給電ライン４６に対する金属部品の影響も軽減でき、平面アンテナ４０の感度劣化を抑制できる。
さらに、給電部４４から給電ライン４６を斜め方向に引き出して、受信部５０まで給電ライン４６を直線状に配線したので、特性インピーダンスの変化を抑制でき、給電ライン４６に対するノイズの影響を最小限にできる。
【００８１】
平面アンテナ４０は、ステップモーター２２１〜２２５や二次電池２４と平面的に重ならずに配置できるので、誘電体基材４１を積層して構成できる。このため、腕時計サイズの電子時計１に組み込むために、平面サイズが小さな平面アンテナ４０を用いても受信性能を確保できる。平面アンテナ４０は、文字板２と平面的に重なるが、文字板２は非導電性部材からなるため、平面アンテナ４０での受信性能を確保できる。また、指針３を導電性部材で構成した場合でも、針状で平面積が小さいため、受信性能への影響を最小限に抑えることができる。
したがって、受信性能を確保でき、かつ、薄型化できて腕時計に適した電子時計１を提供できる。
【００８２】
平面視で文字板２の３時位置には、巻真やおしどり等の切換機構が配置されるため、時計部品の中で比較的大きな部品である平面アンテナ４０や二次電池２４を３時位置に配置すると電子時計１の平面サイズを大型化しなければならない。これに対し、本実施形態では、平面アンテナ４０および二次電池２４を、３時位置を避けて配置しているので、３時位置に配置される切換機構とレイアウト的に干渉せず、そのため電子時計１の平面サイズを小さくできる。
【００８３】
第２回路基板７２４の切欠部７３１に二次電池２４を配置したので、第２回路基板７２４の裏面側に電池を配置する場合に比べて電子時計１の厚さ寸法を小さくでき、電子時計１を薄型化できる。
【００８４】
外装ケース１０の一部、例えば、胴１１１やベゼル１１２、裏蓋１２を金属製にできるので、電子時計１の質感を向上できる。さらに、文字板２の外周に沿って配置されるダイヤルリング３２等のリング部材を非導電性部材で構成しているので、平面アンテナ４０は、時計のカバーガラス３１側から、文字板２やダイヤルリング３２、地板２１を通して衛星信号を受信でき、胴１１１、ベゼル１１２や裏蓋１２が金属製であっても受信性能を確保できる。
【００８５】
平面アンテナ４０を文字板２の中心から１２時方向に配置したので、第１小窓７７０、第２小窓７８０、第３小窓７９０の各指針７７１、７８１、７９１の指針軸４Ｂ、４Ｃ、４Ｄと干渉することがない。このため、電子時計１の文字板２のデザインの制約を少なくできる。
【００８６】
地板２１および誘電体基材４１の表面４１１間に緩衝材４７を配置し、平面アンテナ４０の表面４１１を緩衝材４７に当接させているので、電子時計１の厚さ方向（高さ方向）における平面アンテナ４０の位置を精度よく設定できる。このため、地板２１に対する平面アンテナ４０の位置精度を向上でき、位置精度のばらつきによるアンテナ周波数の変化量をさらに低減できてアンテナ特性をより安定化できる。
さらに、平面アンテナ４０の表面４１１は、緩衝材４７に当接するため、地板２１に直接接触することを防止でき、セラミックで形成された誘電体基材４１の破損を防止できる。
【００８７】
日車５を非導電性部材で形成したので、平面視において日車５を平面アンテナ４０と重ねて配置しても、衛星信号は日車５を透過してアンテナに入射するため、受信性能が低下することを防止できる。
また、日車５は、平面視において平面アンテナ４０と重なるため、日車５および平面アンテナ４０を避けて配置する指針３、７７１、７８１、７９１の指針軸３Ａ、４Ｂ、４Ｃ、４Ｄの配置位置の自由度が高まり、電子時計１のデザイン自由度を向上できる。
【００８８】
平面アンテナ４０は、平面視において太陽電池パネル２５や耐磁板９１、９２と重ならないため、時計の表面側から伝播されてくる衛星信号は、太陽電池パネル２５や耐磁板９１で遮られることなく平面アンテナ４０に入射する。このため、受信性能を低下させることなく、太陽電池パネル２５および耐磁板９１、９２を電子時計１に設けることができる。
【００８９】
胴１１１および裏蓋１２は、受信部５０のグランド部に接続されるため、グランドプレーンとして機能する。これにより、グランドプレーンの面積を大きくとることができ、アンテナ利得が向上してアンテナ特性を向上できる。
【００９０】
［第２実施形態］
次に、本発明の第２実施形態について、図１６を参照して説明する。なお、第２実施形態において、第１実施形態と同一または同様の構成には同一符号を付し、説明を省略する。
第２実施形態の電子時計１Ｂは、平面アンテナ４０Ｂが傾いて配置された点が、第１実施形態の電子時計１と相違する。すなわち、第１実施形態の電子時計１では、平面アンテナ４０の各側面４１３Ａ〜４１３Ｄは、電子時計１の３時−９時方向に沿った第１直線１０１と、１２時−６時方向に沿った第２直線１０２に対して平行に配置されている。
一方、第２実施形態の電子時計１Ｂでは、平面アンテナ４０Ｂの各側面４１３Ａ〜４１３Ｄは、前記第１直線１０１、第２直線１０２に対して平行ではなく、傾斜して配置されている。
この平面アンテナ４０Ｂにおいても、給電部４４は第１角度範囲内または第２角度範囲内に配置されている。すなわち、図１６に示すように、平面アンテナ４０Ｂの中心Ｏを通り、第１直線１０１に平行な第１直線１０１Ａと、平面アンテナ４０Ｂの中心Ｏを通り、第２直線１０２に平行な第２直線１０２Ａとを設定した場合、第１角度範囲を規定する１．５時方向の仮想線４７１と、４．５時方向の仮想線４７２とは、第１直線１０１Ａおよび第２直線１０２Ａに対して４５度の角度に設定される。また、第２角度範囲を規定する７．５時方向の仮想線４７３と、１０．５時方向の仮想線４７４も、第１直線１０１Ａおよび第２直線１０２Ａに対して４５度の角度に設定される。
そして、平面アンテナ４０Ｂの給電部４４は、図１６に示すように、第２角度範囲内、つまり仮想線４７３および仮想線４７４間に設けられている。
なお、第２実施形態においても、第１実施形態と同様に、第１角度範囲および第２角度範囲は、第１バンド１５、第２バンド１６の長手方向に平行であり、平面アンテナ４０Ｂの平面中心（原点）Ｏから第１バンド１５に向かう方向の直線を基準線４７０とすると、第１角度範囲は、基準線４７０から時計回りに４５度から１３５度までの範囲、すなわち仮想線４７１および仮想線４７２間の範囲である。また、第２角度範囲は、基準線４７０から反時計回りに４５度から１３５度までの範囲、すなわち仮想線４７４および仮想線４７３間の範囲である。第２実施形態では、給電部４４は、基準線４７０に対して反時計回りに４５度から１３５度までの範囲に配置されている。
【００９１】
第２実施形態のように、平面アンテナ４０Ｂ自体を傾けて配置すれば、受信ＩＣである受信部５０との給電ライン４６を第１側面４１３Ａに対して直交方向に引き出すこともでき、給電ライン４６を更に短く形成してノイズの影響を軽減できる。さらに、平面アンテナ４０Ｂを傾けて配置できるため、レイアウトの自由度が高まり、電子時計１の設計も容易になる。
【００９２】
［他の実施形態］
なお、本発明は前記各実施形態に限定されず、本発明の要旨の範囲内で種々の変形実施が可能である。
【００９３】
平面アンテナ４０の給電部４４と受信部５０とを接続する給電ライン４６としては、例えば、図１７に示すように、第２回路基板７２４の裏面側に配置することで、平面視で平面アンテナ４０の下側を通るように配線してもよい。この場合、給電部４４から離れた位置に受信部５０を配置できるため、受信部５０のレイアウトの自由度を高めることができる。なお、図１７のムーブメント２０には、時針３Ｄを駆動するステップモーター２２６が追加されており、第２ステップモーター２２２は分針３Ｃのみを駆動する。
【００９４】
また、図１８に示す電子時計１Ｃのように、平面アンテナ４０を実装した回路基板２３Ａの裏蓋側に二次電池２４Ａを配置してもよい。この場合、二次電池２４Ａが平面アンテナ４０よりも裏蓋１２側に位置するため、二次電池２４Ａによる受信の影響を殆ど無くすことができる。また、二次電池２４Ａの裏蓋側に配置される部品は殆どないため、二次電池２４Ａとして直径が大きく薄型のコイン型電池を用いることができる。
【００９５】
さらに、図１９に示す電子時計１Ｄのように、平面アンテナ４０を実装した回路基板２３Ｂを、二次電池２４Ｂの基板と兼用し、平面アンテナ４０および二次電池２４Ｂを同じ回路基板２３Ｂの高さ位置を基準に配置してもよい。この場合、平面アンテナ４０および二次電池２４Ｂを高さ方向にずらして配置する必要が無く、平面アンテナ４０の高さ寸法範囲内に二次電池２４Ｂを配置することができるため、図１８の電子時計１Ｃに比べて、電子時計１Ｄの厚さ寸法を小さくできる。
【００９６】
外装ケース１０内における平面アンテナ４０の配置位置は、文字板２の中心に対して１２時方向側に限定されず、６時方向側つまり平面アンテナ４０の中心位置が外装ケース１０の平面中心に対して５時方向から７時方向までの角度範囲内でもよい。さらに、平面アンテナ４０の配置位置は、文字板２の中心に対して３時方向側（平面アンテナ４０の中心位置が２時方向から４時方向の角度範囲内）や、９時方向側（平面アンテナ４０の中心位置が８時方向から１０時方向の角度範囲内）でもよい。なお、平面アンテナ４０を、文字板２の中心に対して３時方向に配置する場合には、給電部４４を第２角度範囲（９時方向側）に配置して、給電部４４が外装ケース１０に近接しないように設定してもよい。同様に、平面アンテナ４０を、文字板２の中心に対して９時方向に配置する場合には、給電部４４を第１角度範囲（３時方向側）に配置してもよい。
【００９７】
平面アンテナ４０や回路基板７２３、７２４、２３Ａ、２３Ｂの構成は、前記各実施形態に限定されない。例えば、平面アンテナ４０としては、誘電体基材４１の表面に積層されるアンテナ電極部４２を、平面アンテナ４０よりも時計表面側に配置される金属部品から離れる方向にずらして形成してもよい。
このように平面アンテナ４０のアンテナ電極部４２を金属部品（第１耐磁板９１や太陽電池パネル２５の電極部）から離れるように配置することで、最短距離Ｄ２、Ｄ３をより大きくでき、金属部品による電波の遮蔽の影響を低減することができる。
また、図２０に示すように、平面アンテナ４０の給電部４４は、給電電極４４１のみを備えるものでもよい。この場合、給電電極４４１が第１側面４１３Ａの中央部においてアンテナ電極部４２と容量結合する。アンテナ電極部４２で受信された衛星電波は、容量結合を介して給電電極４４１に伝達し、給電電極４４１から取り出すことができる。このような構成であっても、給電電極４４１と側面電極４４２とで給電部４４を構成した場合と同様の効果が得られる。
【００９８】
前記実施形態では、ベゼル１１２は導電性部材で形成されているが、本発明はこれに限定されない。例えば、ベゼル１１２は、非導電性部材であるジルコニア（ＺｒＯ２）などのセラミックにて形成されていてもよい。ジルコニアは、抵抗率が高く電波受信に悪影響を与えないだけではなく、硬く耐傷性にも優れるため、時計の外装部材として優れている。また、ベゼル１１２をセラミック製とすると、ベゼル１１２をアンテナ電極部４２と平面視で重ねることができる。このため、ベゼル１１２がアンテナ電極部４２と平面的に重ならないように胴１１１の直径を大きくする必要が無いため、胴１１１の直径を小さくすることができ、電子時計１の平面サイズを小型化できる。
【００９９】
前記実施形態では、電子時計１は、日車５、太陽電池パネル２５、ダイヤルリング３２を備えているが、本発明はこれに限定されない。すなわち、電子時計１は、日車５、太陽電池パネル２５、ダイヤルリング３２を備えていなくてもよい。
【０１００】
前記実施形態では、胴１１１および裏蓋１２は、受信部５０のグランド部に接続されているが、本発明はこれに限定されない。すなわち、胴１１１および裏蓋１２は、当該グランド部に接続されていなくてもよい。
前記実施形態では、太陽電池パネル２５は、平面アンテナ４０と平面視で重なる部分に切欠部２５１が形成されているが、太陽電池パネル２５は、切欠部２５１が形成されたものに限定されない。太陽電池パネル２５は、平面アンテナ４０での電波受信に影響しないように構成されていればよく、平面アンテナ４０と平面視で重なる部分に太陽電池パネルが配置されない形状であればよい。たとえば、太陽電池パネル２５に、平面アンテナ４０と平面視で重なる部分のみくり抜いた開口を形成してもよいし、太陽電池パネル２５を半円状に形成し、平面アンテナ４０と平面視で重なる部分に太陽電池パネルを配置しないようにしてもよい。
前記実施形態では、第１耐磁板９１および第２耐磁板９２を切り欠いて切欠部９１２、９２２を形成するようにしたが、第１耐磁板、第２耐磁板としては、切欠部が形成されたものに限定されない。すなわち、受信への影響を考慮して、平面アンテナ４０との距離が適切になるように、第１耐磁板９１および第２耐磁板９２の形状を設定すればよい。
【０１０１】
位置情報衛星の例として、ＧＰＳ衛星Ｓについて説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
平面アンテナ４０としては、前述のパッチアンテナに限定されず、チップアンテナなどの他の種類の平面アンテナでもよく、受信する信号に種類に応じて適切な平面アンテナを用いればよい。
【符号の説明】
【０１０２】
１、１Ｂ、１Ｃ…電子時計、２…文字板、３、７７１、７８１、７９１…指針、１０…外装ケース、１１…ケース本体、１２…裏蓋、１５…第１バンド、１６…第２バンド、２０…ムーブメント、２１…地板、２２…駆動体、２３Ａ、２３Ｂ…回路基板、７２３…第１回路基板、７２４…第２回路基板、２４、２４Ａ、２４Ｂ…二次電池、２５…太陽電池パネル、４０、４０Ｂ…平面アンテナ、４１…誘電体基材、４２…アンテナ電極部、４３…ＧＮＤ電極、４４…給電部、４４１…給電電極、４４２…側面電極、４５…縮退分離素子部、４６…給電ライン、４７０…基準線、４７１、４７２、４７３、４７４…仮想線、５０…受信部（受信ＩＣ）、６０…制御表示部、６１…制御部、６２…駆動回路、６３…水晶振動子、９１…第１耐磁板、９２…第２耐磁板、２２１〜２２６…ステップモーター。
【図１】
2018169383.tif 000003
【図２】
2018169383.tif 000004
【図３】
2018169383.tif 000005
【図４】
2018169383.tif 000006
【図５】
2018169383.tif 000007
【図６】
2018169383.tif 000008
【図７】
2018169383.tif 000009
【図８】
2018169383.tif 000010
【図９】
2018169383.tif 000011
【図１０】
2018169383.tif 000012
【図１１】
2018169383.tif 000013
【図１２】
2018169383.tif 000014
【図１３】
2018169383.tif 000015
【図１４】
2018169383.tif 000016
【図１５】
2018169383.tif 000017
【図１６】
2018169383.tif 000018
【図１７】
2018169383.tif 000019
【図１８】
2018169383.tif 000020
【図１９】
2018169383.tif 000021
【図２０】
2018169383.tif 000022